(57)【要約】【課題】ガスや消耗部品等の運転コストを表示できるようにしたガスクロマトグラフを提供する。【解決手段】ガスクロマトグラフにおいて、キャリアガス等の流量制御のために設けられた流量センサー５によって得た流量値を流量積算部２２により所定期間積算してガス消費量を求め、演算部２３においてこれに予め設定した係数（単価）を乗算してガス消費量を価格換算して表示部１３に表示する。また、消耗部品であるセプタム１１は、試料導入と同時に入力されるスタート信号Ｓを計数するカウンタ２４の出力表示からその交換時期が判断され、分析者がセプタム１１を交換したときは、リセット手段２６（押しボタン等）を作動させてカウンタ２４をリセットすると同時にリセット手段２６の作動回数がカウンタ２５で計数される。この計数値はセプタム１１の消費数を表す。【選択図】        図１
2004184283.tif 000002
【特許請求の範囲】
【請求項１】
分析所要ガスの流量を検出する流量センサーを備え、その情報に基づいて前記分析所要ガスの流量を制御するように構成したガスクロマトグラフにおいて、前記流量センサーによって得た流量値を所定期間積算する流量積算部と、該流量積算部の積算値に任意に設定可能な係数を乗算する演算部と、該演算部の演算結果を表示する表示部とを備えたことを特徴とするガスクロマトグラフ。
【請求項２】
試料導入部に設けた軟質弾性材料から成るセプタムを通して試料を導入するように構成したガスクロマトグラフにおいて、試料導入回数を計数するカウンタの計数値をリセットするリセット手段と、該リセット手段の作動回数を計数する第２のカウンタと、該第２のカウンタの計数値に任意に設定可能な係数を乗算する演算部と、該演算部の演算結果を表示する表示部とを備えたことを特徴とするガスクロマトグラフ。
【発明の詳細な説明】
【０００１】
【発明の属する技術分野】
本発明は、ガスクロマトグラフに関する。
【０００２】
【従来の技術】
ガスクロマトグラフ分析は、キャリアガスの流れるカラム中に導入された試料がカラムを通過する間にカラム内壁面等に塗布された固定相との相互作用により各成分に分離され、その成分濃度がカラム後段に配置された検出器で検出されることにより行われる。
【０００３】
図２に従来のガスクロマトグラフの構成の一例を示す。
図において、１は分析すべき試料を導入する試料導入部であって、その頂部には軟質弾性材料から成るセプタム１１が設けられ、これをシリンジ（図示しない）で刺通して試料を導入する。２は試料を各成分に分離するカラム、３はカラム２を収容し分析所定の温度に保つオーブン、４は成分濃度を電気信号に変えて出力する検出器、５はキャリアガスの流量を検出する流量センサー、６はキャリアガスの流量を調節する制御弁、７はキャリアガスの供給源となるボンベである。
【０００４】
試料導入部１から導入された試料は、ボンベ７から供給されるキャリアガスによってカラム２内へ運ばれる。試料はカラム２を通過する間に各成分に分離され、検出器４に達してその濃度が電気信号に変えられ、その信号はデータ処理部１２で適宜処理された後、表示部１３で分析結果として表示され、また記録される。
【０００５】
キャリアガスは、流量センサー５からの情報に基づき流量制御部２１を介して制御弁６の開度を調節することにより分析所定の流量値となるように制御される。キャリアガスの一部は試料導入部１から分岐するスプリット流路１８を通って排出弁９を経て排出される。その際、排出ガスに含まれる試料蒸気をフィルタ８によってトラップすることにより環境汚染等を防ぐ構造となっている。
【０００６】
上記の流量制御部２１を含む制御部２０はこのガスクロマトグラフ全体を統合的にコントロールするもので、マイクロプロセッサを中心に構成されている。表示部１３は、主として分析結果を表示するものであるが、装置の運転に必要なキャリアガス等の流量やオーブン３の温度等の情報も併せて表示することができる。さらに近年はマイクロプロセッサの急速な機能向上を受けてより多くの情報を表示できるようになってきた。例えば、前記フィルタ８は試料蒸気をトラップすることにより経年的に目詰まりを生じるが、目詰まりの程度を排出弁９の作動時の圧力変化から判定し、判定結果に応じてフィルタ８の交換を分析者に促すための情報を表示するようにしたガスクロマトグラフも提唱されている（例えば、特許文献１参照。）。
【０００７】
【特許文献１】
特開２０００−１９１６５号公報
【０００８】
【発明が解決しようとする課題】
ガスクロマトグラフの運転に係わる費用（運転コスト）は、分析業務管理上の重要事項である。特に、分析に伴って消費されるキャリアガス等のガスの費用は運転コストの大半を占めるが、ガスは目に見えないだけに運転を担当する分析者はその消費量を把握し難く、明確なコスト意識を持つことが困難であった。また、セプタムは試料導入のたびにシリンジ針に刺通されてシール性が次第に損なわれるので頻繁に交換を必要とするが、従来はセプタムの消費数量を把握する手段が備えられていなかったので、セプタムについてはコスト管理の面で看過されがちであった。
【０００９】
本発明は、このような事情に鑑みてなされたものであり、ガスや消耗部品等の運転コストを目に見える形で表示できるようにしたガスクロマトグラフを提供することを目的とする。
【００１０】
【課題を解決するための手段】
本発明の第１は、上記課題を解決するために、分析所要ガスの流量を検出する流量センサーによって得た流量値を所定期間積算してガス消費量を求め、これに予め設定した係数（単価）を乗算してガス消費量を価格換算して表示するようにした。また、本発明の第２は、消耗品であるセプタムに着目し、セプタム交換時に試料導入回数を計数するカウンタをリセットした回数を計数してセプタム消費数とし、これに予め設定した係数（単価）を乗算してセプタム消費数を価格換算して表示するようにした。
【００１１】
これによりガスクロマトグラフの運転を担当する分析者はコスト意識を持って分析業務に当たることが可能となり、また分析業務管理においてもコスト計算が容易になる。
【００１２】
【発明の実施の形態】
本発明の一実施形態を図１に示す。同図において図２の従来例と同一のものには同一符号を付すことにより再度の説明を省く。
先ず分析所要ガスのコスト表示について説明する。
図１において、２２は、流量センサー５からの流量値ｆを時間的に積算する流量積算部、２３は所定の係数を乗算する演算部であって、その係数は予め任意の値を設定できるものとする。
【００１３】
流量センサー５はガスクロマトグラフ運転中は常時連続して流量値を出力する。流量値は、従来は流量制御に用いられるのみであったが、本発明では流量積算部２２にも入力される。ここで流量値を所定期間（例えば１日、１週間など）積算することにより当該期間中の流量積算値、即ちガス消費量が求められ、さらに次段の演算部２３においてこれに予め設定された係数を乗算する。この係数とはキャリアガスの単位量あたりの価格（単価）であって、ガスの購入価格等を参照して設定しておくものである。この演算によりガス消費量は価格に換算されて表示部１３に表示される。
【００１４】
以上はキャリアガスに関して説明したが、ガスクロマトグラフにおいてはキャリアガス以外に検出器４の種類に応じて水素、窒素、アルゴン等のガスを消費する場合がある。これらのガスについても、上記キャリアガスの場合と同様にしてその消費量を価格換算して表示することができる。
なお、キャリアガスとこれらの検出器ガスを総称してここでは分析所要ガスと記す。
【００１５】
次に、消耗品であるセプタム１１のコスト表示について説明する。
図１において、２４は、図示しない押しボタン等から入力されるスタート信号Ｓを計数するカウンタ、２６はこのカウンタ２４をリセットするリセット手段（例えば、押しボタン）、２５はこのリセット回数を計数するカウンタである。
【００１６】
分析者は試料を導入すると同時にスタート信号Ｓを入力する。この信号は、リテンションタイムを計時するための起点として従来からデータ処理上重要な信号であるが、同時にこの信号の回数を計数することにより試料導入回数を知ることができる。即ち、スタート信号Ｓを計数するカウンタ２４の出力は試料導入回数を示すので、これを適当な形で表示部１３に表示すれば、分析者はこれによりセプタム１１の交換の要否を判断する情報を得ることができる。分析者はセプタム１１を交換したときは、リセット手段２６を作動させてリセット信号Ｒを入力しカウンタ２４の計数値をゼロに戻す。同時にリセット信号Ｒは第２のカウンタ２５にも入力され、リセット手段２６の作動回数が計数される。その計数値は交換されたセプタムの数、即ちセプタム消費数を表すことになるから、これに演算部２３において予め入力した係数（セプタムの単価）を乗算することでセプタムのコストが算出され、表示部１３で表示される。
【００１７】
以上の外にガスクロマトグラフの運転コストとしては電力費も無視できない。消費電力量はガスクロマトグラフの電源に積算電力計（図示しない）を接続することにより新規な工夫を要することなく計測できるから、上記の分析所要ガスやセプタムの場合と同様に、その出力値に電力単価に相当する係数を乗算すれば容易に価格換算表示が可能となる。表示の方法としては、分析所要ガス、電力、セプタムのコストをそれぞれ表示するだけでなく、これらを合算して総合的な運転コストとして表示するようにしてもよい。
【００１８】
なお、上記は本発明の一例について説明したもので、本発明をこれに限定するものではない。
また、図１における制御部２０は、その内部の各ブロックに対応するユニットがハードウェアとして存在するものに限らず、コンピュータ内部で適切なプログラムに従ってこれらの機能がソフトウェア上で実行されるように構成された装置をも包含する。
【００１９】
【発明の効果】
以上詳述したように、本発明装置は運転コストを価格に換算して表示するので、運転を担当する分析者はコスト意識を持って分析業務に当たることが可能となり、また分析業務管理においてもコスト計算が容易になる。
【図面の簡単な説明】
【図１】本発明の一実施形態を示す図である。
【図２】従来の構成の一例を示す図である。
【符号の説明】
１  試料導入部
２  カラム
３  オーブン
４  検出器
５  流量センサー
６  制御弁
７  ボンベ
８  フィルタ
９  排出弁
１１  セプタム
１２  データ処理部
１３  表示部
２０  制御部
２１  流量制御部
２２  流量積算部
２３  演算部
２４、２５  カウンタ
２６  リセット手段
Ｓ  スタート信号
Ｒ  リセット信号
【図１】
2004184283.tif 000003
【図２】
2004184283.tif 000004